(57)【特許請求の範囲】
【請求項１】
情報処理装置、及び前記情報処理装置を制御するための入出力装置と通信を行い、
前記入出力装置の操作に応じて前記情報処理装置から入力される情報に基づいて文字が入力されるためであって、前記入出力装置が備える表示装置に表示させるためのＣＵＩ（Ｃｈａｒａｃｔｅｒ  Ｕｓｅｒ  Ｉｎｔｅｒｆａｃｅ）画像の動画として、ビデオデータを生成するビデオデータ生成部と、
前記ビデオデータに、前記ビデオデータが生成された時刻を付加する時刻付加部と、
前記時刻付加部により付加された時刻と、前記ビデオデータ生成部により生成されたビデオデータとを記憶装置に記憶させる記憶制御部と、
前記記憶装置が前記情報を記憶する期間を指定する期間指定部と、を具備することを特徴とする電子装置。
【請求項２】
前記記憶制御部は、前記記憶装置に記憶されたビデオデータのうち、前記時刻付加部により付加された時刻を指定することで選択されたビデオデータを読み出すことを特徴とする請求項１記載の電子装置。
【請求項３】
前記記憶装置を備えることを特徴とする請求項１または２記載の電子装置。
【請求項４】
前記記憶装置は、前記電子装置から取り外し可能な外部記憶装置であることを特徴とする請求項１から３いずれか一項記載の電子装置。
【請求項５】
前記ビデオデータ生成部は、異なる時点における前記ＣＵＩ画像をフレームとする前記動画として前記ビデオデータを生成することを特徴とする請求項１から４いずれか一項記載の電子装置。
【請求項６】
前記記憶制御部は、前記ビデオデータをログデータとして、前記記憶装置に記憶させることを特徴とする請求項１から５いずれか一項記載の電子装置。
【請求項７】
情報処理装置、及び前記情報処理装置を制御するための入出力装置と通信を行い、
前記入出力装置の操作に応じて前記情報処理装置から入力される情報に基づいて、前記入出力装置が備える表示装置に表示させるためのＣＵＩ（Ｃｈａｒａｃｔｅｒ  Ｕｓｅｒ  Ｉｎｔｅｒｆａｃｅ）画像のビデオデータを生成するビデオデータ生成部と、
前記情報に、前記情報が入力された時刻を付加する時刻付加部と、
前記時刻付加部により付加された時刻と、前記情報処理装置から入力される情報とを記憶装置に記憶させる記憶制御部と、
前記記憶装置が前記情報を記憶する期間を指定する期間指定部と、を具備し、
前記ビデオデータ生成部は、前記期間において前記記憶装置に記憶された前記情報に基づいてＣＵＩ画像のビデオデータを生成することを特徴とする電子装置。
【発明の詳細な説明】
【技術分野】
【０００１】
本発明は電子装置に関する。
【背景技術】
【０００２】
情報処理装置（コンピュータ）と、コンピュータを制御するためのキーボード、ディスプレイ、マウス等の入出力装置との間のエミュレーションを行う電子装置が用いられることがある。例えば特許文献１には、通信により送受信されるデータ、及びログデータをビデオデータとして出力する発明が記載されている。
【先行技術文献】
【特許文献】
【０００３】
【特許文献１】特開２００９−０２２１２５号公報
【発明の概要】
【発明が解決しようとする課題】
【０００４】
しかしながら、従来の技術では、ログデータの確認を容易に行えない場合があった。本発明は上記課題に鑑み、ログデータを容易に確認することが可能な電子装置を提供することを目的とする。
【課題を解決するための手段】
【０００５】
本発明は、情報処理装置、及び前記情報処理装置を制御するための入出力装置と通信を行い、前記入出力装置の操作に応じて前記情報処理装置から入力される情報に基づいて文字が入力されるためであって、前記入出力装置が備える表示装置に表示させるためのＣＵＩ（Ｃｈａｒａｃｔｅｒ  Ｕｓｅｒ  Ｉｎｔｅｒｆａｃｅ）画像の動画として、ビデオデータを生成するビデオデータ生成部と、前記ビデオデータに、前記ビデオデータが生成された時刻を付加する時刻付加部と、前記時刻付加部により付加された時刻と、前記ビデオデータ生成部により生成されたビデオデータとを記憶装置に記憶させる記憶制御部と、前記記憶装置が前記情報を記憶する期間を指定する期間指定部と、を具備する電子装置である。本発明によれば、ログデータを容易に確認することが可能となる。また、入力及び出力を、視覚的に確認することができる。また、時系列に従って、ビデオデータを確認することができる。また、ビデオデータを選択する操作が簡潔になる。また、所望の機関のビデオデータを記憶部に記憶させることができる。
【０００８】
上記構成において、前記記憶制御部は、前記記憶装置に記憶されたビデオデータのうち、前記時刻付加部により付加された時刻を指定することで選択されたビデオデータを読み出す構成とすることができる。この構成によれば、時系列に従って、ビデオデータを確認することができる
【０００９】
上記構成において、前記記憶装置を備える構成とすることができる。
【００１０】
上記構成において、前記記憶装置は、前記電子装置から取り外し可能な外部記憶装置である構成とすることができる。この構成によれば、入出力装置が設置されている場所とは別の場所においてもビデオデータの確認をすることができ、利便性が高まる。また、新たな外部記憶装置を用いることで、容量不足を抑制することができる。また、過去のログを残すことができる。
【００１１】
上記構成において、前記ビデオデータ生成部は、異なる時点における前記ＣＵＩ画像をフレームとする前記動画として前記ビデオデータを生成する構成とすることができる。この構成によれば、入力及び出力を、視覚的に確認することができる。
【００１２】
上記構成において、前記記憶制御部は、前記ビデオデータをログデータとして、前記記憶装置に記憶させる構成とすることができる。この構成によれば、ログを、動画として視覚的に確認することができる。また本発明は、情報処理装置、及び前記情報処理装置を制御するための入出力装置と通信を行い、前記入出力装置の操作に応じて前記情報処理装置から入力される情報に基づいて、前記入出力装置が備える表示装置に表示させるためのＣＵＩ（Ｃｈａｒａｃｔｅｒ  Ｕｓｅｒ  Ｉｎｔｅｒｆａｃｅ）画像のビデオデータを生成するビデオデータ生成部と、前記情報に、前記情報が入力された時刻を付加する時刻付加部と、前記時刻付加部により付加された時刻と、前記情報処理装置から入力される情報とを記憶装置に記憶させる記憶制御部と、前記記憶装置が前記情報を記憶する期間を指定する期間指定部と、を具備し、前記ビデオデータ生成部は、前記期間において前記記憶装置に記憶された前記情報に基づいてＣＵＩ画像のビデオデータを生成する電子装置である。
【発明の効果】
【００１３】
本発明によれば、ログデータを容易に確認することが可能な電子装置を提供することができる。
【図面の簡単な説明】
【００１４】
【図１】図１（ａ）は実施例１に係る電子装置を例示するブロック図であり、図１（ｂ）は実施例１に係る電子装置を例示する機能ブロック図である。
【図２】図２（ａ）及び図２（ｂ）は、実施例１に係る電子装置の制御を例示するフローチャートである。
【図３】図３（ａ）から図３（ｃ）は、ＣＵＩ画像を例示する図である。
【図４】図４は記憶する期間を指定するの際の画面を例示する図である。
【図５】図５（ａ）はビデオデータ再生制御を例示するフローチャートであり、図５（ｂ）はビデオデータ選択の画面を例示する図である。
【図６】図６は実施例２に係る電子装置を例示するブロック図である。
【図７】図７は実施例３に係る電子装置を例示するブロック図である。
【発明を実施するための形態】
【００１５】
図面を用いて、本発明の実施例について説明する。
【実施例１】
【００１６】
始めに、実施例１に係る電子装置の構成について説明する。図１（ａ）は実施例１に係る電子装置を例示するブロック図である。
【００１７】
図１（ａ）に示すように、実施例１に係る電子装置１００は、コンピュータ１１０、及び入出力装置１２０と接続され、コンピュータ１１０と入出力装置１２０と通信を行う。
【００１８】
電子装置１００は、シリアルインターフェース１０、キーボードポート１２、ビデオポート１４、記憶部１６（記憶装置）、及び制御部２０を備える。シリアルインターフェース１０は、例えばＵＳＢ（Ｕｎｉｖｅｒｓａｌ  Ｓｅｒｉａｌ  Ｂａｓｓ）等であり、電子装置１００とコンピュータ１１０との通信を仲介する。キーボードポート１２及びビデオポート１４は、それぞれ例えばＰＳ／２、ＵＳＢ、及びＩ２Ｃ等である。キーボードポート１２は、電子装置１００とキーボード１２２との通信を仲介する。ビデオポート１４は、電子装置１００とモニタ１２４との通信を仲介する。制御部２０は例えばＣＰＵ（Ｃｅｎｔｒａｌ  Ｐｒｏｃｅｓｓｉｎｇ  Ｕｎｉｔ：中央演算処理装置）等である。制御部２０は、コンピュータ１１０との通信、及び入出力装置１２０との通信を制御し、かつ信号の変換を行う。例えば制御部２０は、コンピュータ１１０から入力された信号（シリアルデータ）を、モニタ１２４が表示するためのビデオデータに変換する。また制御部２０は、キーボード１２２から入力された信号（キーデータ）を、コンピュータ１１０が処理を行うための信号（シリアルデータ）に変換する。記憶部１６は、例えばＨＤＤ（Ｈａｒｄ  Ｄｉｓｃ  Ｄｒｉｖｅ：ハードディスクドライブ）やフラッシュメモリ等である。後述するように、記憶部１６は、制御部２０により生成された、ＣＵＩ（Ｃｈａｒａｃｔｅｒ  Ｕｓｅｒ  Ｉｎｔｅｒｆａｃｅ）画像のビデオデータを記憶する。
【００１９】
入出力装置１２０は、例えばキーボード１２２及びモニタ１２４等を含み、さらにマウス等を含んでもよい。キーボード１２２から入力された信号は、電子装置１００を介して、コンピュータ１１０に出力される。上述のように、コンピュータ１１０から入力された信号は、電子装置１００を介して、モニタ１２４に出力される。
【００２０】
機能ブロック図を参照して、電子装置の構成についてさらに説明する。図１（ｂ）は実施例１に係る電子装置を例示する機能ブロック図である。
【００２１】
電子装置１００の制御部２０は、インターフェース制御部２２及び２４、信号変換部２６、ビデオデータ生成部２８、リアルタイムクロック３０、時刻付加部３２、記憶制御部３４、並びに期間指定部３６として機能する。
【００２２】
インターフェース制御部２２は、電子装置１００とコンピュータ１１０との通信を制御する。例えばインターフェース制御部２２は、コンピュータ１１０から入力された信号を信号変換部２６に送信する。またインターフェース制御部２２は、入出力装置１２０から入力され、信号変換部２６により変換された信号をコンピュータ１１０に出力する。
【００２３】
インターフェース制御部２４は、電子装置１００と入出力装置１２０との通信を制御する。例えばインターフェース制御部２４は、入出力装置１２０のキーボード１２２から入力された信号を信号変換部２６に送信する。また、インターフェース制御部２４は、コンピュータ１１０から入力され、ビデオデータ生成部２８により生成されたビデオデータをモニタ１２４に出力する。さらにインターフェース制御部２４は、例えばキーボード１２２から入力された信号を期間指定部３６に送信する。後述するように、期間指定部３６は、例えばキーボード１２２から入力される信号に基づいて、記憶部１６がビデオデータを記憶する期間を指定する。
【００２４】
信号変換部２６は、信号の変換を行う。例えば信号変換部２６は、例えばキーボード１２２から入力された信号を、コンピュータ１１０が処理するための信号に変換する。また信号変換部２６は、ビデオデータ生成部２８を含む。ビデオデータ生成部２８は、コンピュータ１１０から入力される情報に基づいて、モニタ１２４に表示させるためのビデオデータを生成する。例えば、信号変換部２６は、キーデータからシリアルデータへの変換、及びシリアルデータからビデオデータへの変換を行う。ビデオデータ生成部２８が生成するビデオデータには、ＣＵＩ画像のビデオデータが含まれる。なお、ビデオデータのデータ形式は例えばＭＰＥＧ形式等である。
【００２５】
リアルタイムクロック３０は時刻を測定する。時刻付加部３２は、ＣＵＩ画像のビデオデータに、リアルタイムクロック３０により測定された、当該ＣＵＩ画像のビデオデータが生成された時刻を付加する。記憶制御部３４は、ビデオデータ生成部２８により生成されたＣＵＩ画像のビデオデータ、及び時刻付加部３２により付加された時刻を記憶部１６に記憶させる。つまり記憶制御部３４は、ＣＵＩ画像のビデオデータを、時刻が付加されたログデータとして、記憶部１６に記憶させる。また記憶制御部３４は、記憶部１６に記憶されたビデオデータを読み出して、インターフェース制御部２４に出力する。出力されたビデオデータは、モニタ１２４に表示される。期間指定部３６は、時刻付加部３２に付加される時刻を指定することで、記憶部１６がビデオデータを記憶する期間を指定する。つまり、記憶制御部３４は、期間指定部３６により指定された期間内のビデオデータのみを、記憶部１６に記憶させることができる。
【００２６】
次に電子装置１００の制御として、キーボード入力制御、及びモニタ表示・記憶制御について説明する。まずキーボード入力制御について説明する。図２（ａ）は実施例１に係る電子装置のキーボード入力制御を例示するフローチャートである。
【００２７】
図２（ａ）に示すように、まずインターフェース制御部２４は、キーボード１２２から入力されたキーデータを信号変換部２６に送信する（ステップＳ１）。信号変換部２６は、受信したキーデータをシリアルデータに変換し、インターフェース制御部２２に送信する（ステップＳ２）。インターフェース制御部２２は、受信したシリアルデータをコンピュータ１１０に出力する（ステップＳ３）。コンピュータ１１０は、シリアルデータに基づいて処理を行う。以上によりキーボード入力制御は終了する。
【００２８】
次にモニタ表示・記憶制御について説明する。図２（ｂ）は実施例１に係る電子装置のモニタ表示・記憶制御を例示するフローチャートである。
【００２９】
図２（ｂ）に示すように、インターフェース制御部２２は、コンピュータ１１０から入力されたシリアルデータを信号制御部２６に送信する（ステップＳ１０）。信号変換部２６のビデオデータ生成部２８は、受信したシリアルデータに基づいてビデオデータを生成する（ステップＳ１１）。生成されたビデオデータはＣＵＩ画像のビデオデータを含む。時刻付加部３２は、リアルタイムクロック３０が測定した、ＣＵＩ画像のビデオデータが生成された時刻を取得し、当該ＣＵＩ画像のビデオデータに付加する（ステップＳ１２）。記憶制御部３４は、時刻が付加されたビデオデータを記憶部１６に記憶させる（ステップＳ１３）。ここで、記憶制御部３４は、期間指定部３６により、記憶部１６がビデオデータを記憶する期間が指定されている場合、指定された期間内に生成されたビデオデータを記憶させる。期間の指定がない場合、記憶制御部３４は、例えば生成されたビデオデータの全てを記憶させる。ビデオデータ生成部２８は、生成されたビデオデータをインターフェース制御部２４に送信する（ステップＳ１４）。インターフェース制御部２４は、受信したビデオデータをモニタ１２４に出力する（ステップＳ１５）。モニタ１２４は入力されたビデオデータを表示する。以上により、モニタ表示・記憶制御は終了する。
【００３０】
ここでＣＵＩ画像を例として、電子装置１００の制御について説明する。図３（ａ）から図３（ｃ）は、ＣＵＩ画像を例示する図である。
【００３１】
図３（ａ）に示すように、ビデオデータ生成部２８は、コンピュータ１１０から入力されたシリアルデータに基づいて、ＣＵＩ画像のビデオデータを生成する。インターフェース制御部２４はビデオデータをモニタ１２４に出力する（図２（ｂ）のステップＳ１１及びＳ１５）。ＣＵＩ画像にはプロンプトが表示されている。図中の四角はカーソルである。
【００３２】
図３（ｂ）に示すように、キーボード１２２からコマンドが入力されると、ＣＵＩ画像には、プロンプトに続いてコマンドが表示される。ここでは、例えばホストコンピュータ（コンピュータ１１０）の名前を表示させるコマンドである“ｈｏｓｔｎａｍｅ”が入力される。つまりビデオデータ生成部２８は、キーボード１２２の操作によって入力される文字が、ＣＵＩ画像に表示される場合のＣＵＩ画像のビデオデータを生成する。
【００３３】
図３（ｃ）に示すように、コマンドの後に、キーボード１２２のＥｎｔｅｒキーが入力されると、ＣＵＩ画像にはホスト名“ＦＷ−Ｓ１０１６ＳＲ−０Ｃ−４４−Ａ６”、及びプロンプトが表示される。つまり、コンピュータ１１０は、ホスト名を表示させるための処理を行い、ホスト名を含んだ新たなシリアルデータを電子装置１００に送信する。ビデオデータ生成部２８は、シリアルデータに基づいて、ホスト名を表示する新たなＣＵＩ画像のビデオデータを生成する。記憶制御部３４は、図３（ａ）から図３（ｃ）までに示すＣＵＩ画像のビデオデータを、時刻を付加して記憶部１６に記憶させる。
【００３４】
次に記憶する期間の指定について説明する。図４は記憶する期間を指定するの際の画面を例示する図である。
【００３５】
図４に示すように、ログを保存する期間を、例えば２０１０年６月２８日０時００分から、同年同日１時００分までに指定し、実行をクリックする。この場合、指定された期間内に生成されたビデオデータのみが記憶部１６に記憶される。図４の画面は、例えばキーボード１２２のホットキーが入力されることで、モニタ１２４に表示される。
【００３６】
次に、記憶したビデオデータの再生について説明する。図５（ａ）はビデオデータ再生制御を例示するフローチャートである。
【００３７】
図５（ａ）に示すように、例えばキーボード１２２等からビデオデータの選択が行われると、インターフェース制御部２４は記憶制御部３４に、選択の内容を送信する（ステップＳ２０）。ビデオデータの選択は、付加された時刻を指定することにより行われる。ステップＳ２０の後、記憶制御部３４は、選択されたビデオデータを、記憶部１６から読み出し、インターフェース制御部２４に送信する（ステップＳ２１及びＳ２２）。インターフェース制御部２４は、受信したビデオデータをモニタ１２４に出力する（ステップＳ２３）。モニタ１２４は、電子装置１００から入力されたビデオデータを表示する。以上により再生制御は終了する。さらに再生制御の際に用いられる画面の例を参照して、再生制御について説明する。図５（ｂ）はビデオデータ選択の画面を例示する図である。
【００３８】
図５（ｂ）に示すように、記憶制御部３８は、記憶部１６に記憶されたビデオデータから、付加された時刻を指定して、再生されるべきビデオデータを選択して読み出すことができる。具体的には、再生を開始したいビデオデータに付加された時刻、及び再生を終了したいビデオデータに付加された時刻、を指定する。ユーザはキーボード１２２やマウス等を用いて、再生するビデオデータが生成された日時を指定する。図５では、例えば２０１０年６月２８日０時００分から、同年同日１時００分までに生成されたビデオデータが、再生するビデオデータとして指定されている。“実行”をクリックすることで、指定された期間のビデオデータの再生が開始される。また、例えば図中に破線で囲んだボタンをクリックすることで、早送り、巻き戻し、一時停止も可能である。なお、図５（ｂ）の画面は、例えばキーボード１２２のホットキーが入力されることで、モニタ１２４に表示される。
【００３９】
実施例１によれば、記憶部１６は、ビデオデータ生成部２８により生成されたＣＵＩ画像のビデオデータを記憶する。このため、キーボード１２２による入力とコンピュータ１１０による出力とのログを、動画として視覚的に確認することができる。従って、電子装置１００を用いたシステムの動作の検証を容易に行うことができる。
【００４０】
また時刻付加部３２は、ビデオデータが生成された時刻を、ビデオデータに付加する。記憶部１６は、ビデオデータと時刻とを記憶する。ユーザは、時刻を指定することにより、所望のビデオデータを選択し、再生させることができる。このため、時系列に従って、ビデオデータを確認することができる。また、ビデオデータを選択する操作が簡潔になる。
【００４１】
図４の例のように、期間指定部３６により、記憶部１６がビデオデータを記憶する期間を指定することで、所望の期間のビデオデータのログを記憶部１６に記憶させることができる。また、ビデオデータのサイズを小さくすることで、記憶部１６の容量を節約することができる。なお、期間の指定はしなくてもよい。
【００４２】
図５（ａ）及び図５（ｂ）の例のように、時刻を指定することにより再生するビデオデータを選択する例について説明したが、実施例はこれに限定されない。例えば記憶されているビデオデータの全てを再生することもできる。
【００４３】
記憶制御部３４は、記憶部１６に記憶させるビデオデータのフレームレートを変更することが可能である。フレームレートを大きくすることで、記憶部１６が記憶するビデオデータのデータサイズが小さくなるため、記憶部１６の容量を節約することができる。またフレームレートを小さくすることで、記憶部１６は、より詳細な情報を記憶することができる。
【実施例２】
【００４４】
実施例２は、記憶部として外部記憶装置を用いる例である。図６は実施例２に係る電子装置を例示するブロック図である。既述した構成と同じ構成については、説明を省略する。
【００４５】
図６に示すように、実施例２に係る電子装置２００は外部記憶装置１３０と接続されている。外部記憶装置１３０は、例えば外付けＨＤＤ、ＵＳＢメモリ、ＤＶＤ（Ｄｉｇｉｔａｌ  Ｖｅｒｔｉｓａｌ  Ｄｉｓｃ）レコーダ及びＤＶＤディスク、並びにＶＨＳ（Ｖｉｄｅｏ  Ｈｏｍｅ  Ｓｙｓｔｅｍ）デッキ及びＶＨＳテープ等の、電子装置２００から取り外し、持ち運び可能な外部記憶装置である。外部記憶装置１３０がＤＶＤレコーダやＶＨＳデッキである場合、ＤＶＤディスクやＶＨＳテープにデータを記憶することで、外部記憶装置として機能する。記憶制御部３４は、外部記憶装置１３０に、ビデオデータ及び時刻を記憶させる。実施例２に係る電子装置２００の制御は、図２（ａ）、図２（ｂ）及び図５（ａ）に例示したものと同じであるため、説明を省略する。
【００４６】
実施例２によれば、実施例１と同様に、ログを動画として視覚的に確認することができる。従って、電子装置２００を用いたシステムの動作の検証を容易に行うことができる。また、外部記憶装置１３０を電子装置１００から取り外すことで、入出力装置１２０が設置されている場所とは別の場所においてもビデオデータの確認をすることができるため、利便性が高まる。また、外部記憶装置１３０の容量が少なくなった場合、新たな外部記憶装置１３０を用いることで、容量不足を抑制することができる。また、ビデオデータを記憶した外部記憶装置１３０を保管することで、過去のログを残すことができる。外部記憶装置１３０が、ＤＶＤレコーダ及びＤＶＤディスク、又はＶＨＳデッキ及びＶＨＳテープのいずれかである場合、ＤＶＤディスク又はＶＨＳテープを保管すればよい。
【実施例３】
【００４７】
実施例３は、記憶部としてネットワークに接続された外部記憶装置を用いる例である。図７は実施例３に係る電子装置を例示するブロック図である。既述した構成と同じ構成については、説明を省略する。
【００４８】
図７に示すように、電子装置３００は、例えばインターネットやイーサネット（登録商標）等のネットワーク１４０を介して、外部記憶装置１３０と接続されている。電子装置３００はネットワークインターフェース１５を備える。ネットワークインターフェース１５は、例えばＬＡＮ（Ｌｏｃａｌ  Ａｒｅａ  Ｎｅｔｗｏｒｋ）ポート等であり、電子装置３００と外部記憶装置１３０との通信を仲介する。外部記憶装置は、例えばＮＦＳ（Ｎｅｔｏｗｏｒｋ  Ｆｉｌｅ  Ｓｅｒｖｅｒ）サーバ等である。実施例３に係る電子装置３００の制御は、図２（ａ）、図２（ｂ）及び図５（ａ）に例示したものと同じであるため、説明を省略する。
【００４９】
実施例３によれば、電子装置１００から遠隔地にいるユーザであっても、ログを動画として視覚的に確認することができる。従って、電子装置３００を用いたシステムの動作の検証を、遠隔地にて容易に行うことができる。また、外部記憶装置１３０と通信を行う別のユーザが、外部記憶装置１３０からビデオデータを読み出して、再生することも可能となる。このため、例えば複数のユーザや、外部記憶装置１３０からさらに遠隔地にいるユーザも、ビデオデータを確認することができる。また、ビデオデータに付加する時刻は、電子装置３００内部のリアルタイムクロック３０（図１（ｂ）参照）ではなく、例えばネットワーク１４０に接続されたＮＴＰ（Ｎｅｔｗｏｒｋ  Ｔｉｍｅ  Ｐｒｏｔｃｏｌ）サーバやＧＰＳ（Ｇｒｏｂａｌ  Ｐｏｓｉｔｉｏｎｉｎｇ  Ｓｙｓｔｅｍ）等から取得することもできる。
【００５０】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００５１】
シリアルインターフェース      １０
キーボードポート              １２
ビデオポート                  １４
ネットワークインターフェース  １５
記憶部                        １６
制御部                        ２０
インターフェース制御部        ２２，２４
信号変換部                    ２６
ビデオデータ生成部            ２８
リアルタイムクロック          ３０
時刻付加部                    ３２
記憶制御部                    ３４
期間指定部                    ３６
電子装置                      １００
コンピュータ                  １１０
入出力装置                    １２０
キーボード                    １２２
モニタ                        １２４
外部記憶装置                  １３０
ネットワーク                  １４０
【図１】
0005726459.tif 000002
【図２】
0005726459.tif 000003
【図３】
0005726459.tif 000004
【図４】
0005726459.tif 000005
【図５】
0005726459.tif 000006
【図６】
0005726459.tif 000007
【図７】
0005726459.tif 000008